(57)【要約】      （修正有）【課題】位置登録時と異なるセルへの移動することが非常に稀な、準固定的に設置される端末装置に対して、効率的なページング処理を行う方法を提供する。【解決手段】端末装置１３、１４と、基地局装置１２と、コアネットワーク１１とを含む移動体通信システム１０における端末装置であって、通信部と制御部とを備える。制御部は、自装置が準固定的に設置される端末装置１３であることを示す端末タイプ情報を、通信部を介して基地局装置に通知する。【選択図】図１
2018174377.tif 000002
【特許請求の範囲】
【請求項１】
端末装置と、基地局装置と、コアネットワークとを含む移動体通信システムにおける端末装置であって、
通信部と制御部とを備え、
前記制御部は、
自装置が準固定的に設置される端末装置であることを示す端末タイプ情報を、前記通信部を介して前記基地局装置に通知する
端末装置。
【請求項２】
前記制御部は、前記端末タイプ情報を位置登録の要求に含めて通知する、請求項１に記載の端末装置。
【請求項３】
端末装置と、基地局装置と、コアネットワークとを含む移動体通信システムにおける基地局装置であって、
端末通信部とネットワーク通信部と制御部とを備え、
前記制御部は、
前記端末装置から、前記端末通信部を介して、前記端末装置が準固定的に設置される端末装置であることを示す端末タイプ情報を受信し、
前記端末タイプ情報に基づいて生成した情報を、前記ネットワーク通信部を介して前記コアネットワークに通知する
基地局装置。
【請求項４】
前記制御部は、
前記端末装置に対するビームを示す情報を前記ネットワーク通信部を介して前記コアネットワークに通知し、
前記端末装置を呼び出すページング信号を送信する際に、前記ネットワーク通信部を介して前記コアネットワークから取得した前記端末装置に対するビームを示す情報を用いて、前記端末通信部にビームフォーミングをさせる
請求項３に記載の基地局装置。
【請求項５】
前記制御部は、
前記端末装置に対するビームを示す情報を記憶し、
前記端末装置を呼び出すページング信号を送信する際に、前記記憶した前記端末装置に対するビームを示す情報を用いて、前記端末通信部にビームフォーミングさせる
請求項３に記載の基地局装置。
【請求項６】
端末装置と、複数の基地局装置と、コアネットワークとを含む移動体通信システムにおけるコアネットワークであって、
前記端末装置を呼び出す際に、前記端末装置が準固定的に設置される端末装置であることを示す端末タイプ情報に基づいて生成された情報を参照して、前記端末装置を呼び出す基地局装置を、前記複数の基地局装置から選択する制御部
を備えるコアネットワーク。
【請求項７】
前記端末タイプ情報を、前記複数の基地局装置のうち、いずれかから受信するネットワーク通信部を備え、
前記制御部は、前記端末装置を呼び出す際に、前記端末タイプ情報を参照して前記端末装置が準固定的に設置される端末装置であると判定したときは、前記ネットワーク通信部が前記端末タイプ情報を受信したときの前記端末タイプ情報の送信元の基地局装置のみを、前記端末装置を呼び出す基地局装置として選択する、
請求項６に記載のコアネットワーク。
【請求項８】
端末装置と、基地局装置と、コアネットワークとを含む移動体通信システムにおける端末装置の通信方法であって、
自装置が準固定的に設置される端末装置であることを示す端末タイプ情報を、前記基地局装置に通知する第１の過程
を有する通信方法。
【請求項９】
端末装置と、基地局装置と、コアネットワークとを含む移動体通信システムにおける基地局装置の通信方法であって、
前記端末装置から、前記端末装置が準固定的に設置される端末装置であることを示す端末タイプ情報を受信する第１の過程と、
前記端末タイプ情報に基づいて生成した情報を、前記コアネットワークに通知する第２の過程と
を有する通信方法。
【請求項１０】
端末装置と、複数の基地局装置と、コアネットワークとを含む移動体通信システムにおけるコアネットワークの通信方法であって、
前記端末装置を呼び出す際に、前記端末装置が準固定的に設置される端末装置であることを示す端末タイプ情報に基づいて生成された情報を参照して、前記端末装置を呼び出す基地局装置を、前記複数の基地局装置から選択する第１の過程
を有する通信方法。
【発明の詳細な説明】
【技術分野】
【０００１】
本発明は、端末装置、基地局装置、コアネットワーク、および通信方法に関する。
【背景技術】
【０００２】
従来、３ＧＰＰで規定されているＬＴＥ（Long Term Evolution）、ＬＴＥ−Ａｄｖａｎｃｅｄなどの移動体通信システムでは、位置登録処理によって、移動端末（移動局装置、端末装置、ＵＥ（User Equipment））の位置登録エリアが管理されている。位置登録エリアは、ロケーションエリア、ルーティングエリア、ページングエリアとして定義されており、これらのエリアは、無線基地局（基地局装置、ｅＮＢ）によりサービスされているセルが複数グループ化されたものである。移動体通信網（コアネットワーク）は、移動端末への着信（呼接続要求）があった時に、移動端末が在圏する位置登録エリアに対してページング信号を送信することにより、ページング（移動端末の一斉呼び出し）処理を行う。すなわち、移動端末が在圏する位置登録エリアに属するセルを持つ各基地局装置が、各セルでページング信号を送信している。
【０００３】
特許文献１に記載の位置情報統合管理装置は、位置登録エリア情報とＧＰＳ（Ｇｌｏｂａｌ  Ｐｏｓｉｔｉｏｎｉｎｎｇ  Ｓｙｓｔｅｍ）位置情報とを含む移動端末の位置情報の履歴を管理し、管理されている最新の位置情報に基づいてページングエリアを特定する。位置登録エリア情報に加えてＧＰＳ位置情報をページングエリアの特定に利用することでページングエリアを容易に特定することが可能となる。
【先行技術文献】
【特許文献】
【０００４】
【特許文献１】特許第４５３２２９８号公報
【発明の概要】
【発明が解決しようとする課題】
【０００５】
第５世代（５Ｇ）通信システムを構成する設備・機器として、サブネットワーク基地局（中継器）、５Ｇ無線ルーター、５Ｇ無線機搭載防犯カメラ等の固定５Ｇ端末や、低速５Ｇ端末などが考えられる。しかしながら、このように準固定的に設置されている端末装置（準固定端末装置）においては、位置登録時と異なるセルへの移動することが非常に稀なため、従来の端末装置と同様に、端末装置が移動することを前提にページングエリアを特定すると非効率なページング処理となってしまうことがあるという問題がある。
【０００６】
本発明は、このような事情に鑑みてなされたもので、準固定端末装置に対して効率的なページング処理を行うことが出来る端末装置、基地局装置、コアネットワーク、および通信方法を提供する。
【課題を解決するための手段】
【０００７】
（１）この発明は上述した課題を解決するためになされたもので、本発明の一態様は、端末装置と、基地局装置と、コアネットワークとを含む移動体通信システムにおける端末装置であって、通信部と制御部とを備え、前記制御部は、自装置が準固定的に設置される端末装置であることを示す端末タイプ情報を、前記通信部を介して前記基地局装置に通知する端末装置である。
【０００８】
（２）また、本発明の他の態様は、上述の端末装置であって、前記制御部は、前記端末タイプ情報を位置登録の要求に含めて通知する。
【０００９】
（３）また、本発明の他の態様は、端末装置と、基地局装置と、コアネットワークとを含む移動体通信システムにおける基地局装置であって、端末通信部とネットワーク通信部と制御部とを備え、前記制御部は、前記端末装置から、前記端末通信部を介して、前記端末装置が準固定的に設置される端末装置であることを示す端末タイプ情報を受信し、前記端末タイプ情報に基づいて生成した情報を、前記ネットワーク通信部を介して前記コアネットワークに通知する基地局装置である。
【００１０】
（４）また、本発明の他の態様は、上述の基地局装置であって、前記制御部は、前記端末装置に対するビームを示す情報前記ネットワーク通信部を介して前記コアネットワークに通知し、前記端末装置を呼び出すページング信号を送信する際に、前記ネットワーク通信部を介して前記コアネットワークから取得した前記端末装置に対するビームを示す情報を用いて、前記端末通信部にビームフォーミングをさせる。
【００１１】
（５）また、本発明の他の態様は、上述の基地局装置であって、前記制御部は、前記端末装置に対するビームを示す情報を記憶し、前記端末装置を呼び出すページング信号を送信する際に、前記記憶した前記端末装置に対するビームを示す情報を用いて、前記端末通信部にビームフォーミングさせる。
【００１２】
（６）また、本発明の他の態様は、端末装置と、複数の基地局装置と、コアネットワークとを含む移動体通信システムにおけるコアネットワークであって、前記端末装置を呼び出す際に、前記端末装置が準固定的に設置される端末装置であることを示す端末タイプ情報に基づいて生成された情報を参照して、前記端末装置を呼び出す基地局装置を、前記複数の基地局装置から選択する制御部を備えるコアネットワークである。
【００１３】
（７）また、本発明の他の態様は、上述のコアネットワークであって、前記端末タイプ情報を、前記複数の基地局装置のうち、いずれかから受信するネットワーク通信部を備え、前記制御部は、前記端末装置を呼び出す際に、前記端末タイプ情報を参照して前記端末装置が準固定的に設置される端末装置であると判定したときは、前記ネットワーク通信部が前記端末タイプ情報を受信したときの前記端末タイプ情報の送信元の基地局装置のみを、前記端末装置を呼び出す基地局装置として選択する。
【００１４】
（８）また、本発明の他の態様は、端末装置と、基地局装置と、コアネットワークとを含む移動体通信システムにおける端末装置の通信方法であって、自装置が準固定的に設置される端末装置であることを示す端末タイプ情報を、前記基地局装置に通知する第１の過程を有する通信方法である。
【００１５】
（９）また、本発明の他の態様は、端末装置と、基地局装置と、コアネットワークとを含む移動体通信システムにおける基地局装置の通信方法であって、前記端末装置から、前記端末装置が準固定的に設置される端末装置であることを示す端末タイプ情報を受信する第１の過程と、前記端末タイプ情報に基づいて生成した情報を、前記コアネットワークに通知する第２の過程とを有する通信方法である。
【００１６】
（１０）また、本発明の他の態様は、端末装置と、複数の基地局装置と、コアネットワークとを含む移動体通信システムにおけるコアネットワークの通信方法であって、前記端末装置を呼び出す際に、前記端末装置が準固定的に設置される端末装置であることを示す端末タイプ情報を参照して、前記端末装置を呼び出す基地局装置を、前記複数の基地局装置から選択する第１の過程を有する通信方法である。
【発明の効果】
【００１７】
この発明によれば、準固定端末装置に対して効率的なページング処理を行うことが出来る。
【図面の簡単な説明】
【００１８】
【図１】本発明の第１の実施形態による移動体通信システム１０の構成を示す概略ブロック図である。
【図２】同実施形態における準固定端末装置１３の構成を示す概略ブロック図である。
【図３】同実施形態における基地局装置１２の構成を示す概略ブロック図である。
【図４】同実施形態におけるコアネットワーク１１の構成を示す概略ブロック図である。
【図５】同実施形態における加入者情報記憶部１１５が記憶する加入者情報の例を示す表である。
【図６】同実施形態における準固定端末装置１３の位置登録処理を説明するシーケンス図である。
【図７】同実施形態における準固定端末装置１３の呼び出し処理を説明するシーケンス図である。
【図８】同実施形態におけるＭＭＥ１１１のページング処理部１１４の動作を説明するフローチャートである。
【図９】本発明の第２の実施形態による基地局装置１２ａの構成を示す概略ブロック図である。
【図１０】同実施形態におけるコアネットワーク１１ａの構成を示す概略ブロック図である。
【図１１】同実施形態における加入者情報記憶部１１５ａが記憶する加入者情報の例を示す表である。
【発明を実施するための形態】
【００１９】
（第１の実施形態）
以下、図面を参照して、本発明の第１の実施形態について説明する。図１は、この発明の第１の実施形態による移動体通信システム１０の構成を示す概略ブロック図である。移動体通信システム１０は、コアネットワーク（移動体通信網、コアネットワーク装置）１１、複数の基地局装置１２、準固定端末装置１３、移動端末装置１４を含む。基地局装置１２は、それぞれ、セルＣ１〜Ｃ４のうちの一つを持つ。セルＣ１〜Ｃ４は、複数の位置登録エリアにグループ化されている。例えば、セルＣ１とセルＣ２とは、グループ化されて位置登録エリアＴＡ１を構成しており、セルＣ３とセルＣ４とは、グループ化されて位置登録エリアＴＡ２を構成している。
【００２０】
コアネットワーク１１は、ＭＭＥ（Mobility Management Entity；移動管理装置）１１１、ＨＳＳ（Home Subscriber Server；加入者情報管理装置、HLR、Home Location Register）１１２を含む。コアネットワーク１１は、ＭＭＥ１１１とＨＳＳ１１２とを含む単一の装置であってもよいし、ＭＭＥ１１１として一つまたは複数の装置と、ＨＳＳ１１２として一つまたは複数の装置とを含むシステムであってもよい。コアネットワーク１１は、位置登録エリアＴＡ１、ＴＡ２、およびセルＣ１〜Ｃ４により、準固定端末装置１３、移動端末装置１４の位置を管理する。本実施形態では、準固定端末装置１３に対するページング信号、すなわち準固定端末装置１３を呼び出すページング信号は、準固定端末装置１３が位置登録されているセルＣ１の基地局装置１２からのみ送信される。また、移動端末装置１４に対するページング信号は、移動端末装置１４が位置登録されている位置登録エリアＴＡ２に属するセルＣ３、Ｃ４それぞれの基地局装置１２から送信される。
【００２１】
ＭＭＥ１１１は、準固定端末装置１３および移動端末装置１４の移動制御を行う。例えば、ＭＭＥ１１１は、準固定端末装置１３あるいは移動端末装置１４に対する下りリンクデータが発生すると、その端末装置に対するページング信号の送信を基地局装置１２に指示する。なお、ＭＭＥ１１１は、この指示の対象とする基地局装置１２を、ＨＳＳ１１２から取得した端末タイプを示す情報と位置登録情報に基づき判定する。ＨＳＳ１１２は、移動体通信サービスの加入者の情報である加入者情報を記憶する。この加入者情報には、各加入者の端末装置の端末タイプを示す情報と位置登録情報が含まれる。端末タイプを示す情報は、その端末装置が、準固定端末装置、移動端末装置のうち、いずれのタイプであるかを示す情報である。位置登録情報は、その端末装置が在圏しているセルの基地局装置１２および位置登録エリアを示す情報である。
【００２２】
基地局装置１２の各々は、その基地局装置１２が持つセル（Ｃ１〜Ｃ４）に在圏している準固定端末装置１３や移動端末装置１４と無線通信する。例えば、図１では、セルＣ１に在圏している準固定端末装置１３は、セルＣ１を持つ基地局装置１２と無線通信する。セルＣ３に在圏している移動端末装置１４は、セルＣ３を持つ基地局装置１２と無線通信する。準固定端末装置１３は、固定されていて移動しない、あるいは、セルＣ１内を低速で移動するなど、準固定的に設置されている端末装置である。ここで、低速とは、人が移動する速度、または、設置場所を移動させる程度の移動のことをさす。移動端末装置１４は、セルＣ１〜Ｃ４間を自由に移動できる端末装置である。準固定端末装置１３や移動端末装置１４は、どちらともＬＴＥ（Long Term Evolution）、ＬＴＥ−Ａｄｖａｎｃｅｄなどの通信機能を搭載した移動局装置（ＵＥ、User Equipment）であり、基本的には同等の機能を備えている。つまりは、移動局装置のうち、準固定的に設置される端末が準固定端末装置１３である。
【００２３】
図２は、本実施形態における準固定端末装置１３の構成を示す概略ブロック図である。準固定端末装置１３は、制御部１３１、送受信部１３４を含む。制御部１３１は、端末タイプ通知信号生成部１３２、データ／制御信号処理部１３３を含む。制御部１３１は、準固定端末装置１３の各部を制御する。送受信部１３４（通信部）は、基地局装置１２との間で無線信号を送受信する。
【００２４】
端末タイプ通知信号生成部１３２は、位置登録処理時に、自装置が準固定的に設置される準固定端末装置であることを示す端末タイプを通知する端末タイプ通知信号（端末タイプ情報）を生成し、送受信部１３４を介して、基地局装置１２に送信する。なお、端末タイプ通知信号は、自装置の端末タイプをコアネットワーク１１に示すために用いられる。また、端末タイプ通知信号は、位置登録要求の信号（位置登録の要求）に含まれていてもよい。データ／制御信号処理部１３３は、送受信部１３４を介して基地局装置１２と送受信するデータ信号および制御信号を処理する。この制御信号には、位置登録処理における制御信号やページング信号も含まれる。なお、図２において、端末タイプ通知信号生成部１３２は、データ／制御信号処理部１３３の外に在るが、データ／制御信号処理部１３３に含まれていてもよい。
【００２５】
移動端末装置１４は、準固定端末装置１３と同様の構成であるが、端末タイプ通知信号生成部１３２に代えて、自装置が自由に移動可能な移動端末装置であることを示す端末タイプを通知する端末タイプ通知信号を生成し、送受信部１３４を介して、基地局装置１２に送信する端末タイプ通知信号生成部を有している。あるいは、移動端末装置１４は、端末タイプ通知信号生成部を有しておらず、移動端末装置１４は、端末タイプを基地局装置１２に通知しないようにしてもよい。
【００２６】
図３は、本実施形態における基地局装置１２の構成を示す概略ブロック図である。基地局装置１２は、送受信部１２１、制御部１２２を含む。制御部１２２は、端末タイプ通知部１２３、端末タイプ確認部１２４、データ／制御信号処理部１２５、ネットワーク通信部１２６を含む。送受信部１２１（端末通信部）は、準固定端末装置１３、移動端末装置１４などの端末装置との間で無線信号を送受信する。制御部１２２は、基地局装置１２の各部を制御する。
【００２７】
データ／制御信号処理部１２５は、送受信部１２１を介して端末装置と送受信するデータ信号および制御信号を処理する。この制御信号には、位置登録処理における制御信号やページング信号も含まれ、この通信により基地局装置１２は、各端末装置の位置登録情報を取得する端末タイプ確認部１２４は、送受信部１２１が端末装置から受信した端末タイプ通知信号に基づき、端末装置の各々が、いずれの端末タイプであるかを判定する。端末タイプ通知部１２３は、ネットワーク通信部１２６を介して、位置登録情報と端末タイプをコアネットワーク１１に通知する。ネットワーク通信部１２６は、コアネットワーク１１や他の基地局装置と、有線又は無線により通信する通信部である。
【００２８】
図４は、本実施形態におけるコアネットワーク１１の構成を示す概略ブロック図である。コアネットワーク１１は、ＭＭＥ１１１、ＨＳＳ１１２、基地局通信部１１６を含む。ＭＭＥ１１１（制御部）は、位置登録処理部１１３、ページング処理部１１４を含む。ＨＳＳ１１２は、加入者情報記憶部１１５を含む。位置登録処理部１１３は、基地局通信部１１６が基地局装置１２から受信した情報を用いて、準固定端末装置１３、移動端末装置１４などの端末装置の位置登録処理を行なう。例えば、位置登録処理部１１３は、基地局装置１２のネットワーク通信部１２６が通知し、基地局通信部１１６が受信した端末装置の端末タイプを示す情報と、位置登録情報とを、加入者情報の一部として、ＨＳＳ１１２の加入者情報記憶部１１５に記憶させる。なお、基地局装置１２が通知する位置登録情報には、位置登録エリアを示す情報のみが含まれていて、位置登録処理部１１３が、位置登録情報を通知してきた基地局装置１２（送信元の基地局装置１２）を示す情報を、位置登録情報に含めるようにしてもよい。あるいは、基地局装置１２が通知する位置登録情報に、位置登録エリアを示す情報と、該基地局装置を示す情報とが含まれていてもよい。
【００２９】
ページング処理部１１４は、端末装置への着信など下りリンクデータが発生したときに、その端末装置を呼び出すページング処理を行なう。具体的には、ページング処理部１１４は、呼び出す端末装置の端末タイプを示す情報と位置登録情報とを、ＨＳＳ１１２に問い合わせる。ページング処理部１１４は、この問い合わせに対するＨＳＳ１１２からの回答、すなわちＨＳＳ１１２から取得した端末タイプを示す情報と位置登録情報に基づいて決めた基地局装置１２に対して、その端末装置を呼び出すページング信号の送信を指示する。
【００３０】
ページング処理部１１４は、端末タイプを示す情報が準固定端末装置を示すときは、位置登録情報で示されている基地局装置１２に対して、その端末装置を呼び出すページング信号の送信を指示する。また、ページング処理部１１４は、端末タイプを示す情報が移動端末装置を示すときは、位置登録情報で示されている位置登録エリアに属するセルの基地局装置１２に対して、その端末装置を呼び出すページング信号の送信を指示する。なお、ページング処理部１１４は、端末タイプを示す情報と、位置登録情報とをＨＳＳ１１２から同時に取得してもよいし、別々に取得してもよい。これらを別々に取得する場合は、ページング処理部１１４は、端末タイプを示す情報に基づき、位置登録情報のうち、位置登録エリアを示す情報と、基地局装置を示す情報とのうち、必要なもののみを取得するようにしてもよい。
【００３１】
加入者情報記憶部１１５は、各加入者の加入者情報を記憶する。加入者情報は、端末装置を識別する情報（端末識別番号）、加入者を識別する情報（加入者識別情報、ＩＭＳＩ（International Mobile Subscriber Identity））、端末タイプを示す情報（端末タイプ）、位置登録エリアを示す情報（位置情報（Tracking Area））、基地局装置を示す情報（セルＩＤ）を含む。基地局通信部１１６は、基地局装置１２のネットワーク通信部１２６と、有線又は無線により通信する通信部である。
【００３２】
図５は、本実施形態における加入者情報記憶部１１５が記憶する加入者情報の例を示す表である。加入者情報記憶部１１５は、図５に示すように、端末装置を識別する端末識別番号毎に、対応する加入者識別情報と、端末タイプと、位置情報と、セルＩＤとを記憶する。端末タイプは、準固定端末装置を示す「準固定」、もしくは、移動端末装置を示す「移動」のいずれかの値をとる。図５に示す例では、端末識別番号「００1」には、加入者識別情報「４４０１０ｘｘｘｘｘｘｘｘ１１」と、端末タイプ「移動」、位置情報「Ａ」、セルＩＤ「１００」が対応付けられている。また、端末識別情報「００２」には、加入者識別情報「４４０１０ｘｘｘｘｘｘｘｘ４６」と、端末タイプ「準固定」、位置情報「Ｃ」、セルＩＤ「１００」が対応付けられている。また、端末識別情報「００３」には、加入者識別情報「４４０１０ｘｘｘｘｘｘｘｘ５２」と、端末タイプ「準固定」、位置情報「Ｃ」、セルＩＤ「２００」が対応付けられている。
【００３３】
また、端末識別情報「００４」には、加入者識別情報「４４０１０ｘｘｘｘｘｘｘｘ３４」と、端末タイプ「移動」、位置情報「Ｂ」、セルＩＤ「１００」が対応付けられている。また、端末識別情報「００５」には、加入者識別情報「４４０１０ｘｘｘｘｘｘｘｘ８２」と、端末タイプ「準固定」、位置情報「Ａ」、セルＩＤ「２００」が対応付けられている。また、端末識別情報「００６」には、加入者識別情報「４４０１０ｘｘｘｘｘｘｘｘ６９」と、端末タイプ「移動」、位置情報「Ｃ」、セルＩＤ「１００」が対応付けられている。また、端末識別情報「００７」には、加入者識別情報「４４０１０ｘｘｘｘｘｘｘｘ２７」と、端末タイプ「準固定」、位置情報「Ｂ」、セルＩＤ「２００」が対応付けられている。
【００３４】
図６は、本実施形態における準固定端末装置１３の位置登録処理を説明するシーケンス図である。準固定端末装置１３の電源がオンされると（Ｓａ１）、準固定端末装置１３のデータ／制御信号処理部１３３は、送受信部１３４を用いてセルサーチを実施する（Ｓａ２）。データ／制御信号処理部１３３は、セルサーチにより検出したセルの基地局装置１２に対して位置登録処理を開始する（Ｓａ３）。位置登録処理において、端末タイプ通知信号生成部１３２は、端末タイプとして、準固定端末装置を示す端末タイプ通知信号を生成し、送受信部１３４を介して、セルサーチにより検出したセルの基地局装置１２に通知する（Ｓａ４）。なお、端末タイプ通知信号は、データ／制御信号処理部１３３が送受信部１３４を介して基地局装置１２に送信する位置登録の要求に含まれていてもよい。
【００３５】
基地局装置１２の送受信部１２１が端末タイプ通知信号を受信すると、端末タイプ確認部１２４が、端末タイプ通信信号が示す端末タイプを確認する。次に、端末タイプ通知部１２３は、端末タイプ確認部１２４が確認した端末タイプ示す端末タイプ情報を、ＭＭＥ１１１に報告する（Ｓａ５）。ＭＭＥ１１１の位置登録処理部１１３は、基地局から報告された端末タイプ情報を受信すると、その端末タイプ情報をＨＳＳ１１２に報告して（Ｓａ６）、ＨＳＳ１１２の加入者情報記憶部１１５に登録させる（Ｓａ７）。
【００３６】
ＨＳＳ１１２の加入者情報記憶部１１５は、報告された端末タイプ情報の登録が完了すると、登録完了をＭＭＥ１１１に通知する（Ｓａ８）。ＭＭＥ１１１の位置登録処理部１１３は、ＨＳＳ１１２から登録完了を受け取ると、基地局装置１２に登録完了を通知する（Ｓａ９）。基地局装置１２の端末タイプ通知部１２３は、ＭＭＥ１１１から登録完了を受け取ると、送受信部１２１を介して、端末タイプ通知信号に対する応答として、登録完了を示す応答を、準固定端末装置１３に返す（Ｓａ１０）。
【００３７】
準固定端末装置１３の端末タイプ通知信号生成部１３２が、送受信部１３４を介して、登録完了を示す応答を基地局装置１２から受信すると、制御部１３１は、準固定端末装置１３を待ち受け状態にする（Ｓａ１１）。
なお、移動端末装置１４が位置登録処理をする場合も、図６と同様のシーケンスであるが、端末タイプ通知信号および端末タイプ情報が示す端末タイプが、移動端末装置である点が異なる。
【００３８】
図７は、本実施形態における準固定端末装置１３の呼び出し処理を説明するシーケンス図である。準固定端末装置１３が待ち受け状態にあるときに（Ｓｂ１）、準固定端末装置１３宛の着信、下りリンクのデータなどが発生すると、ＭＭＥ１１１において準固定端末装置１３宛のページングが発生する（Ｓｂ２）。ＭＭＥ１１１のページング処理部１１４は、ＨＳＳ１１２に準固定端末装置１３の端末タイプ情報を要求する（Ｓｂ３）。この端末タイプ情報の要求には、端末識別番号が含まれていてもよいし、加入者識別情報が含まれていてもよい。
【００３９】
ＨＳＳ１１２の加入者情報記憶部１１５は、端末タイプ情報を要求されると、要求された端末装置の端末タイプ情報を確認（読み出し）して（Ｓｂ４）、ＭＭＥ１１１に回答する（Ｓｂ５）。ここでは、「準固定端末装置」を示す端末タイプ情報が回答される。ＭＭＥ１１１のページング処理部１１４は、ＨＳＳ１１２により回答された端末タイプが「準固定端末装置」であるので、ページングエリアとして、一つの基地局装置１２を特定する（Ｓｂ６）。
【００４０】
例えば、ページング処理部１１４は、ＨＳＳ１１２により回答された端末タイプが「準固定端末装置」であるときは、その端末装置の端末識別番号と対応付けて、ＨＳＳ１１２の加入者情報記憶部１１５が記憶しているセルＩＤを取得する。そして、ページング処理部１１４は、そのセルＩＤの基地局装置１２をページングエリアとして特定する。あるいは、ページング処理部１１４は、端末タイプ情報を要求する際に、位置情報およびセルＩＤも要求する。そして、ページング処理部１１４は、端末タイプ情報とともに回答されたセルＩＤの基地局装置１２をページングエリアとして特定してもよい。
【００４１】
ページング処理部１１４は、準固定端末装置１３に対するページングを指示するメッセージを、特定した基地局装置１２に送る（Ｓｂ７）。基地局装置１２のデータ／制御信号処理部１２５は、ＭＭＥ１１１から、このメッセージを受け取ると、準固定端末装置１３に対するページング信号を生成し、送受信部１２１を介して送信する（Ｓｂ８）
なお、移動端末装置１４の呼び出し処理も、図７と同様のシーケンスである。しかし、ＨＳＳ１１２により回答された端末タイプが「移動端末装置」であり、ページング処理部１１４が、ページングエリアとして、位置情報が示す位置登録エリア内のセルを持つ全ての基地局装置１２を特定する点、ページング処理部１１４は特定した全ての基地局装置１２に、移動端末装置１４に対するページングを指示するメッセージを送る点が異なる。
【００４２】
図８は、本実施形態におけるＭＭＥ１１１のページング処理部１１４の動作を説明するフローチャートである。ページング処理部１１４は、ページングが発生すると（Ｓｄ１）、ページングが発生した端末装置の端末タイプ情報を、ＨＳＳ１１２に確認する（Ｓｄ２）。ページング処理部１１４は、ＨＳＳ１１２から取得した端末タイプ情報、すなわちページング対象の端末装置が「準固定端末装置」であるか否かを判定する（Ｓｄ３）。
【００４３】
ステップＳｄ３において、「準固定端末装置」であると判定したときは（Ｓｄ３−ＹＥＳ）、ページング処理部１１４は、ＨＳＳ１１２に、該端末装置の端末識別番号と対応付けて記憶されているセルＩＤの基地局装置１２をページングエリアとして特定し、ページングを指示するメッセージを、特定した基地局装置１２に送る（Ｓｄ４）。また、ステップＳｄ３において、「準固定端末装置」でないと判定したとき（移動端末装置であると判定したとき）は（Ｓｄ３−ＮＯ）、ページング処理部１１４は、ＨＳＳ１１２に、該端末装置の端末識別番号と対応付けて記憶されている位置情報が示す位置登録エリア内の全ての基地局装置１２をページングエリアとして特定し、ページングを指示するメッセージを、特定した基地局装置１２に送る（Ｓｄ５）。
【００４４】
なお、上記実施形態では、準固定端末装置１３と、移動端末装置１４とは、それぞれ、自装置の端末タイプを通知しているが、ページング信号の送信を、位置登録エリア内の全てのセルで行うのか、特定のセルのみで行うのかを示す情報を通知してもよい。
また、ページング処理部１１４は、準固定端末装置１３に対するページングを送信する基地局装置１２として、加入者情報記憶部１１５に登録されているセルＩＤの基地局装置１２のみを選択しているが、該基地局装置１２に加えて、該基地局装置１２のセルに隣接するセルの基地局装置１２を選択するようにしてもよい。
【００４５】
また、ページング処理部１１４は、準固定端末装置１３に対するページングを指示するメッセージを基地局装置１２に送信しても、ページングにより準固定端末装置１３の呼び出しに失敗した場合には、準固定端末装置１３の位置登録エリアに属するセルを持つ全ての基地局装置１２に、準固定端末装置１３に対するページングを指示するメッセージを送信するようにしてもよい。
【００４６】
また、位置登録情報は、在圏しているセルの基地局装置１２を示す情報（セルＩＤ）に代えて、その基地局固有の情報（例えば、シリアルナンバー等）を含んでいてもよい。この場合、加入者情報記憶部１１５はセルＩＤに代えて、基地局固有の情報を記憶する。この時、基地局装置の情報が唯一固有の番号であるため、ページング処理部１１４は、端末タイプを示す情報が準固定端末装置を示すときは、基地局固有の情報が示す基地局装置１２に対してのみ、その端末装置を呼び出すページングを指示するメッセージを送信する。
【００４７】
このように、準固定端末装置１３および移動端末装置１４は、端末タイプ情報を、基地局装置１２を介してコアネットワーク１１に通知し、コアネットワーク１１は、端末タイプ情報に基づき、ページングエリアを決定する。これにより、準固定的に設置されているため、セル間を移動することがほとんどない準固定端末装置１３に対しても効率的なページング処理を行うことが出来る。
【００４８】
（第２の実施形態）
以下、図面を参照して、本発明の第２の実施形態について説明する。本発明の第２の実施形態による移動体通信システムは、図１の移動体通信システム１０と同様の構成であるが、基地局装置１２に変えて基地局装置１２ａを有する点と、コアネットワーク１１に変えてコアネットワーク１１ａを有する点が異なる。
【００４９】
図９は、本実施形態における基地局装置１２ａの構成を示す概略ブロック図である。図９において、図３の各部に対応する部分には同一の符号を付け、その説明を省略する。基地局装置１２ａは、制御部１２２に変えて、制御部１２２ａを有する点が、図３の基地局装置１２とは異なる。制御部１２２ａは、位相管理部１２７を有する点が、図３の制御部１２２とは異なる。位相管理部１２７は、準固定端末装置１３の位置登録処理を行なう際に、準固定端末装置１３に対するビームを示す情報（位相情報）を生成し、コアネットワーク１１に通知する。このビームを示す情報は、ＭＭＥ１１１ａを介してＨＳＳ１１２ａに登録される。
【００５０】
また、位相管理部１２７は、準固定端末装置１３を呼び出すページング信号を、送受信部１２１を介して送信する際に、送受信部１２１に対して送信に使うビームを指示する。送受信部１２１は、指示されたビームのビームフォーミングをして、ページング信号を送信する。このとき、位相管理部１２７は、ＭＭＥ１１１ａを介してＨＳＳ１１２ａから取得したビームを示す情報を用いてビームフォーミングを指示する。なお、ビームを示す情報は、送受信部１２１の各アンテナもしくは各アンテナポートから送信する信号に対して与える位相回転の位相を示す情報であってもよいし、ビームの方向（角度）を示す情報であってもよい。
【００５１】
図１０は、本実施形態におけるコアネットワーク１１ａの構成を示す概略ブロック図である。コアネットワーク１１ａは、ＭＭＥ１１１ａ、ＨＳＳ１１２ａを含む。ＭＭＥ１１１ａは、位置登録処理部１１３ａ、ページング処理部１１４ａを含む。ＨＳＳ１１２ａは、加入者情報記憶部１１５ａを含む。位置登録処理部１１３ａは、図４の位置登録処理部１１３と同様であるが、準固定端末装置１３の位置登録処理の際に、端末タイプ情報に加えてビームを示す情報を基地局装置１２ａから受け取り、これらをＨＳＳ１１２ａの加入者情報記憶部１１５ａに登録する点が異なる。
【００５２】
ページング処理部１１４ａは、図４のページング処理部１１４と同様であるが、準固定端末装置１３に対するページングを指示するメッセージを基地局装置１２に送る際に、加入者情報記憶部１１５ａからビームを示す情報を取得し、そのビームを示す情報を、ページングを指示するメッセージに含める点が異なる。加入者情報記憶部１１５ａは、図４の加入者情報記憶部１１５と同様であるが、準固定端末装置の加入者情報として、ビームを示す情報を記憶している点が異なる。
【００５３】
図１１は、加入者情報記憶部１１５ａが記憶する加入者情報の例を示す表である。加入者情報記憶部１１５ａは、図５の加入者情報記憶部１１５が記憶する加入者情報の例に加えて、端末タイプが「準固定」の端末装置を識別する端末識別番号毎に、ビームを示す情報として位相情報を記憶する。例えば、端末識別番号「００２」には、位相情報「アンテナ１  位相φ１＿１、・・・、アンテナｎ１  位相φ１＿ｎ１」を対応付けて記憶し、端末識別番号「００３」には、位相情報「アンテナ１  位相φ２＿１、・・・、アンテナｎ１  位相φ２＿ｎ１」を対応付けて記憶している。
【００５４】
なお、本実施形態において、位相管理部１２７は、ビームを示す情報をＭＭＥ１１１ａを介してＨＳＳ１１２ａに登録しているが、登録せずに位相管理部１２７（ビーム情報記憶部）が記憶していてもよい。この場合、準固定端末装置１３を呼び出すページング信号を送信する際に、位相管理部１２７は記憶していたビーム示す情報を用いて、送受信部１２１にビームフォーミングを指示する。
【００５５】
本実施形態においても、第１の実施形態と同様に、準固定的に設置されているため、セル間を移動することがほとんどない準固定端末装置１３に対しても効率的なページング処理を行うことが出来る。
さらに、本実施形態では、準固定端末装置１３に対してページング信号を送信する際に用いるビームを、位置登録処理時に加入者情報記憶部１１５ａに登録したビームを示す情報を用いて決定する。準固定端末装置１３は、準固定的に設置されており、ページング信号を送信する際にも、位置登録時と同じビームの範囲内にいる可能性が高いので、このようにして決定したビームで、効率的にページング処理を行なうことができる。
【００５６】
また、図１におけるＭＭＥ１１１、ＨＳＳ１１２、基地局装置１２、準固定端末装置１３、移動端末装置１４、および、第２の実施形態におけるＭＭＥ１１１ａ、ＨＳＳ１１２ａ、基地局装置１２ａの各部の機能を実現するためのプログラムをコンピュータ読み取り可能な記録媒体に記録して、この記録媒体に記録されたプログラムをコンピュータシステムに読み込ませ、実行することによりＭＭＥ１１１、ＨＳＳ１１２、基地局装置１２、準固定端末装置１３、移動端末装置１４、ＭＭＥ１１１ａ、ＨＳＳ１１２ａ、基地局装置１２ａを実現してもよい。なお、ここでいう「コンピュータシステム」とは、一つまたは複数のプロセッサ、メモリ、ストレージに加え、ＯＳや周辺機器等のハードウェアを含むものとする。
【００５７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５８】
また、上述した図１におけるＭＭＥ１１１、ＨＳＳ１１２、基地局装置１２、準固定端末装置１３、移動端末装置１４、および、第２の実施形態におけるＭＭＥ１１１ａ、ＨＳＳ１１２ａ、基地局装置１２ａの各機能ブロックは個別にチップ化してもよいし、一部、または全部を集積してチップ化してもよい。また、集積回路化の手法はＬＳＩに限らず、専用回路、または汎用プロセッサで実現しても良い。ハイブリッド、モノリシックのいずれでも良い。一部は、ハードウェアにより、一部はソフトウェアにより機能を実現させても良い。
また、半導体技術の進歩により、ＬＳＩに代替する集積回路化等の技術が出現した場合、当該技術による集積回路を用いることも可能である。
【００５９】
以上、この発明の実施形態を図面を参照して詳述してきたが、具体的な構成はこの実施形態に限られるものではなく、この発明の要旨を逸脱しない範囲の設計変更等も含まれる。
【符号の説明】
【００６０】
１０…移動体通信システム
１１、１１ａ…コアネットワーク
１２、１２ａ…基地局装置
１３…準固定端末装置
１４…移動端末装置
１１１、１１１ａ…ＭＭＥ
１１２、１１２ａ…ＨＳＳ
１１３、１１３ａ…位置登録処理部
１１４、１１４ａ…ページング処理部
１１５、１１５ａ…加入者情報記憶部
１１６…基地局通信部
１２１…送受信部
１２２、１２２ａ…制御部
１２３…端末タイプ通知部
１２４…端末タイプ確認部
１２５…データ／制御信号処理部
１２６…ネットワーク通信部
１２７…位相管理部
１３１…制御部
１３２…端末タイプ通知信号生成部
１３３…データ／制御信号処理部
１３４…送受信部
【図１】
2018174377.tif 000003
【図２】
2018174377.tif 000004
【図３】
2018174377.tif 000005
【図４】
2018174377.tif 000006
【図５】
2018174377.tif 000007
【図６】
2018174377.tif 000008
【図７】
2018174377.tif 000009
【図８】
2018174377.tif 000010
【図９】
2018174377.tif 000011
【図１０】
2018174377.tif 000012
【図１１】
2018174377.tif 000013